(57)【要約】【課題】  常時使用している眼鏡（特に、度付き眼鏡）を装着したままの状態で、花粉から目を保護する等の防塵機能を効果的に且つ安価に奏し得る眼鏡用防塵具を提供する。【解決手段】  眼鏡３に対して着脱自在に取り付けられる眼鏡用防塵具１は、眼鏡３に対して取り付けられた状態において、該眼鏡３の左右のレンズ３１，３２後方にそれぞれ位置し、前方に向けて凸状に形成された左右一対の眼鏡部１１，１２と、眼鏡部１１，１２を互いに連結するブリッジ部１３とを備え、眼鏡部１１，１２に、眼鏡３の左右一対のパッド３３，３４にそれぞれ上方から係合するパッド係合部１４が設けられている。【選択図】  図１
2006234884.tif 000002
【特許請求の範囲】
【請求項１】
眼鏡に対して着脱自在に取り付けられる眼鏡用防塵具であって、
前記眼鏡に対して取り付けられた状態において、該眼鏡の左右のレンズ後方にそれぞれ位置し、前方に向けて凸状に形成された左右一対の眼鏡部と、
前記左右一対の眼鏡部を互いに連結するブリッジ部とを備え、
前記左右一対の眼鏡部に、前記眼鏡の左右一対のパッドにそれぞれ上方から係合するパッド係合部が設けられていることを特徴とする眼鏡用防塵具。
【発明の詳細な説明】
【技術分野】
【０００１】
本発明は、眼鏡に対して着脱自在に取り付けられる眼鏡用防塵具に関し、特に、常時使用している眼鏡（度付き眼鏡）を装着したままの状態で、花粉から目を保護する等の防塵機能を効果的に且つ安価に奏し得る眼鏡用防塵具に関する。
【背景技術】
【０００２】
従来より、花粉の他、粉塵、飛翔、風圧等から目を保護するべく、種々の防塵眼鏡が提案されている（例えば、特許文献１及び２参照）。
【０００３】
図６に示すように、例えば、従来提案され実用化されている防塵眼鏡２は、それ自体で眼鏡として装着し、顔部に固定できるように、耳に係合させるために湾曲した耳掛け部を有するテンプル２１を備えた構成である。ここで、眼鏡（特に、度付きの眼鏡の場合に問題となる）を使用している者にとって、花粉等から目を保護するべく防塵眼鏡２を装着するには、使用している度付き眼鏡の上から更に防塵眼鏡２を装着するか、或いは、使用している度付き眼鏡を外した上で防塵眼鏡２を装着する必要が生じる。
【０００４】
しかしながら、度付き眼鏡の上から更に防塵眼鏡２を装着する場合には、度付き眼鏡のテンプルと防塵眼鏡２のテンプル２１とが重なり合うため、違和感を生じるのみならず、防塵眼鏡２のテンプル２１が耳に密着し難く外れたり位置ずれを生じたりし易いため、防塵機能が損なわれるという問題がある。また、度付き眼鏡と防塵眼鏡２とは別体であり、相互に連動するものではないため、互いの装着位置を調整し難く、ひいては防塵眼鏡２と顔部との間に広い隙間が生じ易くなる結果、防塵機能が損なわれるという問題もある。このような防塵機能の低下を少しでも抑止するべく、防塵眼鏡２の前枠２２を顔部側に過度に押し付けると、度付き眼鏡も顔部側に過度に押し付けられる結果、圧迫感が増し使用者に不快感を与えてしまうという問題もある。
【０００５】
一方、使用している度付き眼鏡を外した上で防塵眼鏡２を装着する場合には、上記問題は生じないものの、当然に視力低下の問題を生じるため実用的ではない。防塵眼鏡２自体を度付き眼鏡とする構成も考えられるが、コストが掛ってしまうという問題がある。
【０００６】
従って、常時使用している眼鏡（度付き眼鏡）に対して着脱自在に取り付けることが可能な眼鏡用防塵具を提案することが望まれている。
【０００７】
ここで、眼鏡に対して着脱自在に取り付け可能な構成を有するものとしては、従来より、いわゆる前掛眼鏡が提案されている（例えば、特許文献３参照）。
【０００８】
しかしながら、斯かる前掛眼鏡は、サングラスを掛けた状態を得る目的で、或いは、度付き眼鏡の視力矯正を図る等の目的で提案されたものであって、眼鏡に対して着脱自在に取付可能であるものの、眼鏡に対して何ら防塵機能を奏するものではない。
【特許文献１】特開平１０−３２８２３０号公報
【特許文献２】特開２００１−３４３６１８号公報
【特許文献３】実用新案登録第３０５７８５２号公報
【発明の開示】
【発明が解決しようとする課題】
【０００９】
本発明は、斯かる従来技術の問題点を解決するべくなされたものであり、常時使用している眼鏡（特に、度付き眼鏡）を装着したままの状態で、花粉から目を保護する等の防塵機能を効果的に且つ安価に奏し得る眼鏡用防塵具を提供することを課題とする。
【課題を解決するための手段】
【００１０】
前記課題を解決するべく、本発明は、眼鏡に対して着脱自在に取り付けられる眼鏡用防塵具であって、前記眼鏡に対して取り付けられた状態において、該眼鏡の左右のレンズ後方にそれぞれ位置し、前方に向けて凸状に形成された左右一対の眼鏡部と、前記左右一対の眼鏡部を互いに連結するブリッジ部とを備え、前記左右一対の眼鏡部に、前記眼鏡の左右一対のパッドにそれぞれ上方から係合するパッド係合部が設けられていることを特徴とする眼鏡用防塵具を提供するものである。
【００１１】
本発明に係る眼鏡用防塵具では、前記左右一対の眼鏡部は前方に向けて凸状に形成されており、前記眼鏡に装着される際には、前記眼鏡に対して上下方向上方から、該左右一対の眼鏡部が該眼鏡の左右のレンズ後方にそれぞれ位置するように挿入され、該左右一対の眼鏡部に設けられた前記パッド係合部が該眼鏡の左右一対のパッドにそれぞれ上方から係合する。また、前記眼鏡から離脱される際には、前記眼鏡に対して上下方向上方から持ち上げられることで、前記パッド係合部の前記左右一対のパッドへの係合が解除され、該眼鏡に対して上下方向上方から取り外される。
【００１２】
このように、本発明に係る眼鏡用防塵具によれば、前記眼鏡に装着される際には、前記眼鏡に対して上下方向上方から、前記左右一対の眼鏡部が該眼鏡の左右のレンズ後方にそれぞれ位置するように挿入され、該左右一対の眼鏡部に設けられた前記パッド係合部が該眼鏡の左右一対のパッドにそれぞれ上方から係合し、また、前記眼鏡から離脱される際には、前記眼鏡に対して上下方向上方から持ち上げられることで、前記パッド係合部の前記左右一対のパッドへの係合が解除され、該眼鏡に対して上下方向上方から取り外されるので、該眼鏡に対して上下方向上方から簡単、容易に着脱することができ、これにより、該眼鏡を付けたままでも着脱することができる。また、前記左右一対の眼鏡部は前方に向けて凸状に形成されているので、前記眼鏡に対して取り付けられた状態において、該左右一対の眼鏡部が使用者の眼の周囲を覆うことができ、これにより防塵機能を奏することができる。その上、覆われた空間内の湿度を保持し易く、冬場等の湿度の低い環境下における眼の乾燥防止を図ることも可能である。また、前記左右一対の眼鏡部に設けられた前記パッド係合部が前記眼鏡の左右一対のパッドにそれぞれ上方から係合することで、前記眼鏡と連動できるので、装着位置の調整については、該眼鏡の装着位置を調整するだけで行うことができる。また、眼鏡用防塵具自体には顔部に固定するためのテンプルは不要であるため、従来の如く防塵機能を損なうといったことがないという利点を有する。さらに、前記眼鏡を装着したままで使用できるため、前記眼鏡部を度付きレンズに構成する必要が無く、それだけ安価であるという利点も有する。
【００１３】
本発明に係る眼鏡用防塵具において、前記眼鏡部の周縁の少なくとも一部が他の部分よりも厚みの大きい弾性部材で形成されていることが好ましい。この場合、前記弾性部材が形成されている部分は他の部分よりも厚みが大きいので、該弾性部材が形成されている部分で使用者の顔面に当接し易くなる。このとき、該弾性部材が弾性変形することで、使用者の顔面に密着し易くなり、それだけ防塵機能を向上させることができる。また、前記弾性部材が形成されている部分が使用者の顔面に当接する際に、該弾性部材が弾性変形することで、使用者に対して違和感を感じ難くさせることができる。なお、前記弾性部材で形成される部分は、前記眼鏡部の周縁部全周（但し、前記パッド係合部が前記眼鏡部の周縁部にある場合には該パッド係合部部分を除く）であってもよいが、前記眼鏡部の周縁の一部である場合には、額部分の皮膚と接触する部分及び／又は頬骨部分の皮膚と接触する部分を少なくとも含んでいることが好ましい。この場合、デザイン性や前記眼鏡に対する上下方向上方からの挿入し易さ、装着性等の観点から、額部分の皮膚と接触する部分の厚みを頬骨部分の皮膚と接触する部分の厚みより大きくしてもよい。前記弾性部材に用いることができる材料としては、弾性を有するものであればいずれのものも採用でき、代表的には、シリコン樹脂、塩化ビニール系樹脂、ゴム、ポリウレタン樹脂等を例示できる。
【００１４】
ところで、前記左右一対の眼鏡部に設けられる前記パッド係合部は、前記眼鏡の左右一対のパッドにそれぞれ上方から係合するものであるが、該パッドの形状が眼鏡によって一様でないため、該パッドにうまく係合できないことがある。そこで、本発明の眼鏡用防塵具を、例えば、次のような態様にすることが好ましい。即ち、
（ａ）前記パッド係合部が、前記左右一対の眼鏡部に対して着脱可能のパッド用アタッチメント部材を有していて、該アタッチメント部材が、眼鏡毎に用意された複数種のパッド用アタッチメント部材であって、該眼鏡毎の左右一対のパッドの形状に対応して独立別個に形成された複数種のパッド用アタッチメント部材の中から選択されたものである態様、
（ｂ）前記ブリッジ部が弾性部材から形成されていて、前記左右一対の眼鏡部を前記ブリッジ部の弾性力に抗して変位させることにより、前記パッド係合部が前記左右一対のパッドに係合する位置となるように構成されている態様である。
【００１５】
前記（ａ）の態様では、前記左右一対の眼鏡部に対して着脱可能の前記パッド用アタッチメント部材は、眼鏡毎に左右一対のパッドの形状に対応して独立別個に形成された複数種のパッド用アタッチメント部材の中から選択されたものであるので、前記眼鏡の左右一対のパッドに良好に係合することができる。また、使用者が複数の眼鏡を保有する場合には、各眼鏡に応じてパッド用アタッチメント部材を複数種用意しておけば、複数種の眼鏡用防塵具を購入する必要が無く経済的であるという利点が得られる。かかるパッド用アタッチメント部材は弾性を有していることが好ましい。こうすることで、前記眼鏡に対して取り付けられた状態において、安定した係合状態を実現することができる。このアタッチメント部材に用いることができる材料としては、弾性を有するものであればいずれのものも採用でき、代表的には、シリコン樹脂、塩化ビニール系樹脂、ゴム、ポリウレタン樹脂等を例示できる。
【００１６】
前記（ｂ）の態様では、前記ブリッジ部を弾性変形させることにより各種のパッドの形状に対応させることができるため、前記（ａ）の態様の如く眼鏡毎に左右一対のパッドの形状に対応して独立別個に複数種のパッド用アタッチメント部材を用意しておく必要が無く自由度が高いという利点を有する。従って、使用者にとっては、特に複数の眼鏡を保有する場合に、各眼鏡に応じて複数種のパッド用アタッチメント部材を購入する必要が無くより一層経済的であると共に、眼鏡用防塵具の販売者側にとっては、複数種のパッド用アタッチメント部材を在庫しておく必要が無く在庫管理の手間が少なくて済むという利点が得られる。それに加え、前記パッド係合部が前記眼鏡のパッドに係合する際に付勢力が作用することになるので、前記眼鏡に対して取り付けられた状態において、安定した係合状態を実現することができる。このブリッジ部に用いることができる材料としては、弾性を有するものであればいずれのものも採用でき、代表的には、シリコン樹脂、塩化ビニール系樹脂、ゴム、ポリウレタン樹脂等を例示できる。
【００１７】
本発明に係る眼鏡用防塵具において、前記左右一対の眼鏡部に、前記眼鏡の左右一対のテンプルにそれぞれ上方から係合するテンプル係合部が設けられていることが好ましい。こうすることで、前記眼鏡部において、前記パッド係合部が前記眼鏡の左右一対のパッドを係合する他、前記テンプル係合部が前記眼鏡の左右一対のテンプルにも係合するので、より一層安定した取り付け状態を実現することができる。
【００１８】
また、前記左右一対の眼鏡部に設けられる前記テンプル係合部は、前記眼鏡の左右一対のテンプルにそれぞれ上方から係合するものであるが、該左右一対のテンプルの厚みや該テンプル開放時のテンプル間の距離が眼鏡によって一様でないため、該テンプルにうまく係合できないことがある。そこで、前記テンプル係合部が、前記左右一対の眼鏡部に対して着脱可能のテンプル用アタッチメント部材を有していて、該アタッチメント部材が、眼鏡毎に用意された複数種のテンプル用アタッチメント部材であって、該眼鏡毎の左右一対のテンプルの厚みや該テンプル開放時のテンプル間の距離に対応して独立別個に形成された複数種のテンプル用アタッチメント部材の中から選択されたものであることが好ましい。こうすることで、前記眼鏡の左右一対のテンプルに良好に係合することができる。また、使用者が複数の眼鏡を保有する場合には、各眼鏡に応じてテンプル用アタッチメント部材を複数種用意しておけば、複数種の眼鏡用防塵具を購入する必要が無く経済的であるという利点が得られる。かかるテンプル用アタッチメント部材は弾性を有していることが好ましい。こうすることで、前記眼鏡に対して取り付けられた状態において、安定した係合状態を実現することができる。このアタッチメント部材に用いることができる材料としては、弾性を有するものであればいずれのものも採用でき、代表的には、シリコン樹脂、塩化ビニール系樹脂、ゴム、ポリウレタン樹脂等を例示できる。
【００１９】
なお、前記眼鏡部は、光透過性の比較的高い材料（例えば、透明材料）で構成されていてもよいが、光透過性の比較的低い材料で構成されることで、サングラスとして使用してもよい。
【発明の効果】
【００２０】
以上説明したように本発明に係る眼鏡用防塵具によると、前記眼鏡に装着される際には、前記眼鏡に対して上下方向上方から、前記左右一対の眼鏡部が該眼鏡の左右のレンズ後方にそれぞれ位置するように挿入され、該左右一対の眼鏡部に設けられた前記パッド係合部が該眼鏡の左右一対のパッドにそれぞれ上方から係合し、また、前記眼鏡から離脱される際には、前記眼鏡に対して上下方向上方から持ち上げられることで、前記パッド係合部の前記左右一対のパッドへの係合が解除され、該眼鏡に対して上下方向上方から取り外されるので、該眼鏡に対して上下方向上方から簡単、容易に着脱することができ、これにより、該眼鏡を付けたままでも着脱することができる。また、前記左右一対の眼鏡部は前方に向けて凸状に形成されているので、前記眼鏡に対して取り付けられた状態において、該左右一対の眼鏡部が使用者の眼の周囲を覆うことができ、これにより防塵機能を奏することができる。その上、覆われた空間内の湿度を保持し易く、冬場等の湿度の低い環境下における眼の乾燥防止を図ることも可能である。また、前記左右一対の眼鏡部に設けられた前記パッド係合部が前記眼鏡の左右一対のパッドにそれぞれ上方から係合することで、前記眼鏡と連動できるので、装着位置の調整については、該眼鏡の装着位置を調整するだけで行うことができる。また、眼鏡用防塵具自体には顔部に固定するためのテンプルは不要であるため、従来の如く防塵機能を損なうといったことがないという利点を有する。さらに、前記眼鏡を装着したままで使用できるため、前記眼鏡部を度付きレンズに構成する必要が無く、それだけ安価であるという利点も有する。
【発明を実施するための最良の形態】
【００２１】
以下、添付図面を参照しつつ、本発明の一実施形態について説明する。
【００２２】
図１は、本発明の一実施形態に係る眼鏡用防塵具１を眼鏡３に対して取り付けた状態を示す概略斜視図である。図２は、本実施形態に係る眼鏡用防塵具１の概略構成を示す図であって、図２（ａ）は、その斜視図を、図２（ｂ）は、その正面図を、また図２（ｃ）は、その平面図をそれぞれ示している。なお、後述するパッド用アタッチメント部材１４１及び弾性部材１５は、図１においては透明部材として示しており、図２（ｂ）及び図２（ｃ）においては図示を省略してある。
【００２３】
図１及び図２に示すように、本実施形態に係る眼鏡用防塵具１は、眼鏡（度付き眼鏡）３に対して取り付けられた状態（図１に示す状態）において、眼鏡３の左右のレンズ３１、３２後方（眼鏡使用者から視てレンズ３１、３２の後方）にそれぞれ位置し、前方に向けて凸状に形成された左右一対の眼鏡部１１，１２（図２（ｃ）参照）と、左右一対の眼鏡部１１，１２を互いに連結するブリッジ部１３とを備え、左右一対の眼鏡部１１，１２に、眼鏡３の左右一対のパッド３３，３４にそれぞれ上方から係合するパッド係合部１４が設けられている。
【００２４】
より具体的には、本実施形態では、眼鏡部１１，１２及びブリッジ部１３は、いずれも比較的強度の高い透明のポリカーボン樹脂からなっており、これら眼鏡部１１，１２とブリッジ部１３とが一体成形されている。また、眼鏡部１１，１２の周縁の少なくとも一部が他の部分よりも厚みの大きい弾性部材１５で形成されている。さらに具体的に言えば、弾性部材１５は、例えば、シリコン樹脂、塩化ビニール系樹脂、ゴム及びポリウレタン樹脂等のうちのいずれかの材料からなっており、眼鏡部１１，１２の周縁部全周（但し、パッド係合部１４部分を除く）に亘って形成されていて、額部分の皮膚と接触する部分１５ａと頬骨部分の皮膚と接触する部分１５ｂとを含んでいる。本実施形態では、額部分の皮膚と接触する部分１５ａの厚みｄ１は、頬骨部分の皮膚と接触する部分１５ｂの厚みｄ２より大きくしている。
【００２５】
図３は、図１及び図２に示す眼鏡用防塵具１において、複数種のパッド用アタッチメント部材１４１’から選択されたパッド用アタッチメント部材１４１が眼鏡部１１，１２に対して着脱される構成を説明するための図である。なお、図３において、弾性部材１５は図示を図示を省略してある。後述する図４及び図５についても同様である。
【００２６】
パッド係合部１４は、本実施形態では、図３に示すように、左右一対の眼鏡部１１，１２に対して着脱可能のパッド用アタッチメント部材１４１を有していて、該アタッチメント部材１４１が、眼鏡毎に用意された複数種のパッド用アタッチメント部材１４１’であって、該眼鏡毎の左右一対のパッドの形状に対応して独立別個に形成された複数種のパッド用アタッチメント部材１４１’の中から選択されたものである。さらに具体的に言えば、複数種のパッド用アタッチメント部材１４１’は、例えば、シリコン樹脂、塩化ビニール系樹脂、ゴム及びポリウレタン樹脂等のうちのいずれかの材料からなっており、眼鏡部１１，１２におけるアタッチメント部材１４１を着脱する部分１４’を係脱自在に係入する係入部１４１ａと、眼鏡の左右一対のパッドを挟持する挟持部１４１ｂとを有していて、この挟持部１４１ｂの幅ｄが眼鏡毎の左右一対のパッドの形状に対応して広狭に設定されている。これにより、係入部１４ａにてアタッチメント部材１４１が左右一対の眼鏡部１１，１２に対して着脱可能となっており、挟持部１４ｂにて眼鏡３の左右一対のパッド３３，３４に対するパッド係合部１４の良好な係合を実現することができる。
【００２７】
以上説明した本実施形態に係る眼鏡用防塵具１では、左右一対の眼鏡部１１，１２は前方に向けて凸状に形成されており、眼鏡３に装着される際には、眼鏡３に対して上下方向上方から、該左右一対の眼鏡部１１，１２が該眼鏡３の左右のレンズ３１，３２後方にそれぞれ位置するように挿入され、該左右一対の眼鏡部１１，１２に設けられたパッド係合部１４が該眼鏡３の左右一対のパッド３３，３４にそれぞれ上方から係合する。また、眼鏡３から離脱される際には、眼鏡３に対して上下方向上方から持ち上げられることで、パッド係合部１４の左右一対のパッド３３，３４への係合が解除され、該眼鏡３に対して上下方向上方から取り外される。
【００２８】
このように、本実施形態に係る眼鏡用防塵具１によれば、眼鏡３に装着される際には、眼鏡３に対して上下方向上方から、左右一対の眼鏡部１１，１２が該眼鏡３の左右のレンズ３１，３２後方にそれぞれ位置するように挿入され、該左右一対の眼鏡部１１，１２に設けられたパッド係合部１４が該眼鏡３の左右一対のパッド３３，３４にそれぞれ上方から係合し、また、眼鏡３から離脱される際には、眼鏡３に対して上下方向上方から持ち上げられることで、パッド係合部１４の左右一対のパッド３３，３４への係合が解除され、該眼鏡３に対して上下方向上方から取り外されるので、該眼鏡３に対して上下方向上方から簡単、容易に着脱することができ、これにより、該眼鏡３を付けたままでも着脱することができる。また、左右一対の眼鏡部１１，１２は前方に向けて凸状に形成されているので、眼鏡３に対して取り付けられた状態において、該左右一対の眼鏡部１１，１２が使用者の眼の周囲を覆うことができ、これにより防塵機能を奏することができる。その上、覆われた空間内の湿度を保持し易く、冬場等の湿度の低い環境下における眼の乾燥防止を図ることも可能である。また、左右一対の眼鏡部１１，１２に設けられたパッド係合部１４が眼鏡３の左右一対のパッド３３，３４にそれぞれ上方から係合することで、眼鏡３と連動できるので、装着位置の調整については、該眼鏡３の装着位置を調整するだけで行うことができる。また、眼鏡用防塵具１自体には顔部に固定するためのテンプルは不要であるため、従来の如く防塵機能を損なうといったことがないという利点を有する。さらに、眼鏡３を装着したままで使用できるため、眼鏡部１１，１２を度付きレンズに構成する必要が無く、それだけ安価であるという利点も有する。
【００２９】
また、眼鏡部１１，１２の周縁が他の部分よりも厚みの大きい弾性部材１５で形成されていて、該弾性部材１５が形成されている部分は他の部分よりも厚みが大きいので、該弾性部材１５が形成されている部分で使用者の顔面に当接し易くなる。このとき、該弾性部材１５が弾性変形することで、使用者の顔面に密着し易くなり、それだけ防塵機能を向上させることができる。また、弾性部材１５が形成されている部分が使用者の顔面に当接する際に、該弾性部材１５が弾性変形することで、使用者に対して違和感を感じ難くさせることができる。また、弾性部材１５で形成される部分が額部分の皮膚と接触する部分１５ａ及び頬骨部分の皮膚と接触する部分１５ｂを含んでいて、額部分の皮膚と接触する部分１５ａの厚みｄ１を頬骨部分の皮膚と接触する部分１５ｂの厚みｄ２より大きくするので、デザイン性や眼鏡３に対する上下方向上方からの挿入し易さ、装着性等を良好なものにすることができる。
【００３０】
また、パッド係合部１４が、左右一対の眼鏡部１１，１２に対して着脱可能のパッド用アタッチメント部材１４１を有していて、該アタッチメント部材１４１が、眼鏡毎に用意された複数種のパッド用アタッチメント部材１４１’であって、該眼鏡毎の左右一対のパッドの形状に対応して独立別個に形成された複数種のパッド用アタッチメント部材１４１’の中から選択されたものであるので、眼鏡３の左右一対のパッド３３，３４に良好に係合することができる。また、使用者が複数の眼鏡を保有する場合には、各眼鏡に応じてパッド用アタッチメント部材１４１を複数種用意しておけば、複数種の眼鏡用防塵具を購入する必要が無く経済的であるという利点が得られる。また、かかるパッド用アタッチメント部材１４１が弾性を有しているので、眼鏡３に対して取り付けられた状態において、安定した係合状態を実現することができる。
【００３１】
なお、本実施形態では、パッド係合部１４が眼鏡部１１，１２に対して着脱可能のパッド用アタッチメント部材１４１を有していて、該アタッチメント部材１４１を複数種のパッド用アタッチメント部材１４１’の中から選択されたものとしたが、かかる構成に代えて、図４に示すように、ブリッジ部１３が弾性部材から形成されていて、左右一対の眼鏡部１１，１２をブリッジ部１３の弾性力に抗して変位させることにより、パッド係合部１４が左右一対のパッド３３，３４（図中破線参照）に係合する位置となるように構成されていてもよい。こうすることで、ブリッジ部１３を弾性変形させることにより各種のパッドの形状に対応させることができるため、前記したような、眼鏡毎に左右一対のパッドの形状に対応して独立別個に複数種のパッド用アタッチメント部材１４１’を用意しておく必要が無く自由度が高いという利点を有する。従って、使用者にとっては、特に複数の眼鏡を保有する場合に、各眼鏡に応じて複数種のパッド用アタッチメント部材１４１を購入する必要が無くより一層経済的であると共に、眼鏡用防塵具の販売者側にとっては、複数種のパッド用アタッチメント部材１４１を在庫しておく必要が無く在庫管理の手間が少なくて済むという利点が得られる。それに加え、パッド係合部１４が眼鏡３のパッド３３，３４に係合する際に付勢力Ｆ（図中矢印参照）が作用することになるので、眼鏡３に対して取り付けられた状態において、安定した係合状態を実現することができる。
【００３２】
また、本実施形態に係る眼鏡用防塵具１においては、左右一対の眼鏡部１１，１２には、図５に示すように、眼鏡３の左右一対のテンプル３５，３６にそれぞれ上方から係合するテンプル係合部１６，１７が設けられていてもよい。こうすることで、眼鏡部１１，１２において、パッド係合部１４が眼鏡３の左右一対のパッド３３，３４を係合する他、テンプル係合部１６，１７が眼鏡３の左右一対のテンプル３５，３６にも係合するので、より一層安定した取り付け状態を実現することができる。
【００３３】
このテンプル係合部１６，１７についても前記のパッド用アタッチメント部材１４１のような、左右一対の眼鏡部１１，１２に対して着脱可能のテンプル用アタッチメント部材を有していてもよい。この場合、該テンプル用アタッチメント部材は、眼鏡毎に用意された複数種のテンプル用アタッチメント部材であって、該眼鏡毎の左右一対のテンプルの厚みや該テンプル開放時のテンプル間の距離に対応して独立別個に形成された複数種のテンプル用アタッチメント部材の中から選択されたものとすることができる。こうすることで、眼鏡３の左右一対のテンプル１１，１２に良好に係合することができる。また、使用者が複数の眼鏡を保有する場合には、各眼鏡に応じてテンプル用アタッチメント部材を複数種用意しておけば、複数種の眼鏡用防塵具を購入する必要が無く経済的であるという利点が得られる。また、かかるテンプル用アタッチメント部材が弾性を有していることで、眼鏡３に対して取り付けられた状態において、安定した係合状態を実現することができる。
【００３４】
また、本実施形態では、眼鏡部１１，１２は、透明材料で構成されているが、光透過性の低い材料で構成されることで、サングラスとして使用してもよい。
【図面の簡単な説明】
【００３５】
【図１】図１は、本発明の一実施形態に係る眼鏡用防塵具を眼鏡に対して取り付けた状態を示す概略斜視図である。
【図２】図２は、本実施形態に係る眼鏡用防塵具の概略構成を示す図であって、図２（ａ）は、その斜視図を、図２（ｂ）は、その正面図を、また図２（ｃ）は、その平面図をそれぞれ示している。
【図３】図３は、図１及び図２に示す眼鏡用防塵具において、複数種のパッド用アタッチメント部材から選択されたパッド用アタッチメント部材が眼鏡部に対して着脱される構成を説明するための図である。
【図４】図４は、図１及び図２に示す眼鏡用防塵具において、パッド係合部へのパッド用アタッチメント部材の着脱構造に代えて、弾性部材から形成されたブリッジ部を備えた眼鏡用防塵具の一例を示す概略斜視図である。
【図５】図５は、図１及び図２に示す眼鏡用防塵具の左右一対の眼鏡部におけるテンプル係合部部分を拡大した概略図であり、図５（ａ）は、眼鏡使用者から視て左側のテンプル係合部部分を示す拡大図であり、図５（ｂ）は、眼鏡使用者から視て右側のテンプル係合部部分を示す拡大図である。
【図６】図６は、従来の防塵眼鏡の概略構成を示す斜視図である。
【符号の説明】
【００３６】
１…眼鏡用防塵具  ３…眼鏡  １１，１２…左右一対の眼鏡部  １３…ブリッジ部  
１４…パッド係合部  １５…弾性部材  １６，１７…テンプル係合部  
３１，３２…眼鏡３の左右のレンズ  ３３，３４…眼鏡３の左右一対のパッド
１４１…パッド用アタッチメント部材  
１４１’…複数種のパッド用アタッチメント部材１４１’  
【図１】
2006234884.tif 000003
【図２】
2006234884.tif 000004
【図３】
2006234884.tif 000005
【図４】
2006234884.tif 000006
【図５】
2006234884.tif 000007
【図６】
2006234884.tif 000008
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
眼鏡に対して着脱自在に取り付けられる眼鏡用防塵具であって、
前記眼鏡に対して取り付けられた状態において、該眼鏡の左右のレンズ後方にそれぞれ位置し、前方に向けて凸状に形成された左右一対の眼鏡部と、
前記左右一対の眼鏡部を互いに連結するブリッジ部とを備え、
前記左右一対の眼鏡部に、前記眼鏡の左右一対のパッドにそれぞれ上方から係合するパッド係合部が設けられており、
前記パッド係合部は、前記左右一対の眼鏡部に対して着脱可能のパッド用アタッチメント部材を有しており、該アタッチメント部材が、眼鏡毎に用意された複数種のパッド用アタッチメント部材であって、該眼鏡毎の左右一対のパッドの形状に対応して独立別個に形成された複数種のパッド用アタッチメント部材の中から選択されたものであることを特徴とする眼鏡用防塵具。
【請求項２】
眼鏡に対して着脱自在に取り付けられる眼鏡用防塵具であって、
前記眼鏡に対して取り付けられた状態において、該眼鏡の左右のレンズ後方にそれぞれ位置し、前方に向けて凸状に形成された左右一対の眼鏡部と、
前記左右一対の眼鏡部を互いに連結するブリッジ部とを備え、
前記左右一対の眼鏡部に、前記眼鏡の左右一対のパッドにそれぞれ上方から係合するパッド係合部が設けられており、
前記ブリッジ部は弾性部材から形成されており、前記左右一対の眼鏡部を前記ブリッジ部の弾性力に抗して変位させることにより、前記パッド係合部が前記左右一対のパッドに係合する位置となるように構成されていることを特徴とする眼鏡用防塵具。
【請求項３】
前記眼鏡部の周縁の少なくとも一部が他の部分よりも厚みの大きい弾性部材で形成されていることを特徴とする請求項１又は２に記載の眼鏡用防塵具。
【請求項４】
前記左右一対の眼鏡部に、前記眼鏡の左右一対のテンプルにそれぞれ上方から係合するテンプル係合部が設けられていることを特徴とする請求項１から３のいずれかに記載の眼鏡用防塵具。
【手続補正２】
【補正対象書類名】明細書
【補正対象項目名】００１０
【補正方法】変更
【補正の内容】
【００１０】
前記課題を解決するべく、本発明は、眼鏡に対して着脱自在に取り付けられる眼鏡用防塵具であって、前記眼鏡に対して取り付けられた状態において、該眼鏡の左右のレンズ後方にそれぞれ位置し、前方に向けて凸状に形成された左右一対の眼鏡部と、前記左右一対の眼鏡部を互いに連結するブリッジ部とを備え、前記左右一対の眼鏡部に、前記眼鏡の左右一対のパッドにそれぞれ上方から係合するパッド係合部が設けられており、前記パッド係合部は、前記左右一対の眼鏡部に対して着脱可能のパッド用アタッチメント部材を有しており、該アタッチメント部材が、眼鏡毎に用意された複数種のパッド用アタッチメント部材であって、該眼鏡毎の左右一対のパッドの形状に対応して独立別個に形成された複数種のパッド用アタッチメント部材の中から選択されたものであることを特徴とする眼鏡用防塵具を提供するものである。
【手続補正３】
【補正対象書類名】明細書
【補正対象項目名】００１３
【補正方法】変更
【補正の内容】
【００１３】
ところで、前記左右一対の眼鏡部に設けられる前記パッド係合部は、前記眼鏡の左右一対のパッドにそれぞれ上方から係合するものであるが、該パッドの形状が眼鏡によって一様でないため、該パッドにうまく係合できないことがある。そこで、本発明の眼鏡用防塵具は、前述のように、前記パッド係合部が、前記左右一対の眼鏡部に対して着脱可能のパッド用アタッチメント部材を有していて、該アタッチメント部材が、眼鏡毎に用意された複数種のパッド用アタッチメント部材であって、該眼鏡毎の左右一対のパッドの形状に対応して独立別個に形成された複数種のパッド用アタッチメント部材の中から選択されたものとされている。斯かる構成により、パッド係合部を前記眼鏡の左右一対のパッドに良好に係合させることができる。また、使用者が複数の眼鏡を保有する場合には、各眼鏡に応じてパッド用アタッチメント部材を複数種用意しておけば、複数種の眼鏡用防塵具を購入する必要が無く経済的であるという利点が得られる。かかるパッド用アタッチメント部材は弾性を有していることが好ましい。こうすることで、前記眼鏡に対して取り付けられた状態において、安定した係合状態を実現することができる。このアタッチメント部材に用いることができる材料としては、弾性を有するものであればいずれのものも採用でき、代表的には、シリコン樹脂、塩化ビニール系樹脂、ゴム、ポリウレタン樹脂等を例示できる。
【手続補正４】
【補正対象書類名】明細書
【補正対象項目名】００１４
【補正方法】変更
【補正の内容】
【００１４】
また、前記課題を解決するべく、本発明は、眼鏡に対して着脱自在に取り付けられる眼鏡用防塵具であって、前記眼鏡に対して取り付けられた状態において、該眼鏡の左右のレンズ後方にそれぞれ位置し、前方に向けて凸状に形成された左右一対の眼鏡部と、前記左右一対の眼鏡部を互いに連結するブリッジ部とを備え、前記左右一対の眼鏡部に、前記眼鏡の左右一対のパッドにそれぞれ上方から係合するパッド係合部が設けられており、前記ブリッジ部は弾性部材から形成されており、前記左右一対の眼鏡部を前記ブリッジ部の弾性力に抗して変位させることにより、前記パッド係合部が前記左右一対のパッドに係合する位置となるように構成されていることを特徴とする眼鏡用防塵具としても提供される。
【手続補正５】
【補正対象書類名】明細書
【補正対象項目名】００１５
【補正方法】変更
【補正の内容】
【００１５】
本発明に係る眼鏡用防塵具によれば、前記ブリッジ部を弾性変形させることにより各種のパッドの形状に対応させることができるため、前述した構成の如く眼鏡毎に左右一対のパッドの形状に対応して独立別個に複数種のパッド用アタッチメント部材を用意しておく必要が無く自由度が高いという利点を有する。従って、使用者にとっては、特に複数の眼鏡を保有する場合に、各眼鏡に応じて複数種のパッド用アタッチメント部材を購入する必要が無くより一層経済的であると共に、眼鏡用防塵具の販売者側にとっては、複数種のパッド用アタッチメント部材を在庫しておく必要が無く在庫管理の手間が少なくて済むという利点が得られる。それに加え、前記パッド係合部が前記眼鏡のパッドに係合する際に付勢力が作用することになるので、前記眼鏡に対して取り付けられた状態において、安定した係合状態を実現することができる。このブリッジ部に用いることができる材料としては、弾性を有するものであればいずれのものも採用でき、代表的には、シリコン樹脂、塩化ビニール系樹脂、ゴム、ポリウレタン樹脂等を例示できる。
【手続補正６】
【補正対象書類名】明細書
【補正対象項目名】００１６
【補正方法】変更
【補正の内容】
【００１６】
本発明に係る眼鏡用防塵具において、前記眼鏡部の周縁の少なくとも一部が他の部分よりも厚みの大きい弾性部材で形成されていることが好ましい。この場合、前記弾性部材が形成されている部分は他の部分よりも厚みが大きいので、該弾性部材が形成されている部分で使用者の顔面に当接し易くなる。このとき、該弾性部材が弾性変形することで、使用者の顔面に密着し易くなり、それだけ防塵機能を向上させることができる。また、前記弾性部材が形成されている部分が使用者の顔面に当接する際に、該弾性部材が弾性変形することで、使用者に対して違和感を感じ難くさせることができる。なお、前記弾性部材で形成される部分は、前記眼鏡部の周縁部全周（但し、前記パッド係合部が前記眼鏡部の周縁部にある場合には該パッド係合部部分を除く）であってもよいが、前記眼鏡部の周縁の一部である場合には、額部分の皮膚と接触する部分及び／又は頬骨部分の皮膚と接触する部分を少なくとも含んでいることが好ましい。この場合、デザイン性や前記眼鏡に対する上下方向上方からの挿入し易さ、装着性等の観点から、額部分の皮膚と接触する部分の厚みを頬骨部分の皮膚と接触する部分の厚みより大きくしてもよい。前記弾性部材に用いることができる材料としては、弾性を有するものであればいずれのものも採用でき、代表的には、シリコン樹脂、塩化ビニール系樹脂、ゴム、ポリウレタン樹脂等を例示できる。